(57)【要約】【課題】  棒状に突き出た吊り下げ具に吊下して、複数の商品を効率よく陳列可能とした取っ手付き包装袋を提供することを目的としている。【解決手段】上部に開口部を有し、この開口部から物品を出し入れ可能とした包装袋本体と、この包装袋本体の上部に設けられた取っ手とを備えた取っ手付き包装袋において、前記包装袋本体には前記開口部を締結する締結部が設けられており、この締結部に、前記包装袋本体が正面を向くように吊下げ可能とする吊下部が設けられた取っ手付き包装袋とした。【選択図】図１
2011063296.tif 000002
【特許請求の範囲】
【請求項１】
上部に開口部を有し、この開口部から物品を出し入れ可能とした包装袋本体と、この包装袋本体の上部に設けられた取っ手とを備えた取っ手付き包装袋において、
前記包装袋本体には前記開口部を締結する締結部が設けられており、この締結部に、前記包装袋本体が正面を向くように吊下げ可能とする吊下部が設けられていることを特徴とする取っ手付き包装袋。
【請求項２】
前記包装袋本体は、少なくとも一部が内部を視認可能な透過部を有することを特徴とする請求項１に記載の取っ手付き包装袋。
【請求項３】
前記透過部は、包装袋本体の表面及び／又は裏面に形成されていることを特徴とする請求項２に記載の取っ手付き包装袋。
【発明の詳細な説明】
【技術分野】
【０００１】
本発明は、商品やノベルティグッズとしての物品を被包装物として収容可能な取っ手付き包装袋に関するものである。
【背景技術】
【０００２】
従来、この種の取っ手付き包装袋の一般的な構成として、商品などを収納する包装袋本体の上端部に、取っ手となる手提げ部とを備えたものがある。かかる取っ手（手提げ部）は、通常、一対で構成されており、包装袋本体の互いに対向する側壁の上部に、それぞれ当該包装袋本体の天面部を跨らないように設けられている。
【０００３】
そして、例えば、レジャーシートなどのようなシート状の商品場合、所定のサイズに畳まれて、上述した取っ手付き包装袋に収容されて販売される。このとき、店舗内では、これらを陳列棚に積み置きしたりすると、手提げ部が絡み合ったりして邪魔であるし、陳列棚に横並びすると、陳列量を多くとることができない。
【０００４】
一方、特許文献１に開示される販売用袋は、棒状に突き出た吊り下げ具に販売用袋の掛穴にフックを通して吊り下げている。
【０００５】
そこで、前述した取っ手付き包用袋であれば、取っ手（手提げ部）を吊下げ具に吊下して、吊下げ具の前後方向に複数の商品を並べて陳列することが考えられる。
【先行技術文献】
【特許文献】
【０００６】
【特許文献１】特開２００３−２１２２８３号公報
【発明の概要】
【発明が解決しようとする課題】
【０００７】
ところが、上述した従来の取っ手付き包用袋を吊り下げ具に吊下する場合、取っ手（手提げ部）が長すぎて、１つの包装袋を陳列するには高さ方向の場所をとりすぎてしまい、効率的な陳列ができない。
【０００８】
しかし、だからといって取っ手の長さを短くすると、取扱いが不便である。また、従来のように、一対の取っ手部（手提げ部）が包装袋本体の天面部を跨らないように設けられていると、コスト高になるとともに、収容されている商品本体が簡単に抜き取られたりする虞がある。
【０００９】
本発明は、斯かる事情に鑑みてなされたものであって、取っ手付きでありながら、棒状に突き出た吊り下げ具に吊下して、複数の商品を効率よく陳列可能とした取っ手付き包装袋を提供することを目的としている。
【課題を解決するための手段】
【００１０】
以上のような目的を達成するために、本発明は、以下のようなものを提供する。
【００１１】
すなわち、請求項１記載の本発明では、上部に開口部を有し、この開口部から物品を出し入れ可能とした包装袋本体と、この包装袋本体の上部に設けられた取っ手とを備えた取っ手付き包装袋において、前記包装袋本体には前記開口部を締結する締結部が設けられており、この締結部に、前記包装袋本体が正面を向くように吊下げ可能とする吊下部が設けられている取っ手付き包装袋とした。
【００１２】
また、請求項２記載の本発明では、請求項１に記載の発明において、前記包装袋本体は、少なくとも一部が内部を視認可能な透過部を有することを特徴とするものである。
【００１３】
また、請求項３記載の本発明では、請求項２に記載の発明において、前記透過部は、包装袋本体の表面及び／又は裏面に形成されていることを特徴とするものである。
【発明の効果】
【００１４】
本発明においては、包装袋本体が正面を向くように吊下げ可能とする吊下部を設けているため、複数の包装袋本体を厚み方向に重ねて陳列することができる。このため、包装袋本体の陳列スペースの省スペース化を図り、取っ手付き包装袋を効率的に陳列することができる。
【図面の簡単な説明】
【００１５】
【図１】本実施形態に係る取っ手付き包装袋の説明図である。
【図２】同取っ手付き包装袋の正面図である。
【図３】同取っ手付き包装袋の背面図である。
【図４】図２のＩ−Ｉ線における断面図である。
【図５】本実施形態における取っ手付き包装袋の側面図である。
【図６】同取っ手付き包装袋の平面図である。
【図７】同取っ手付き包装袋の底面図である。
【図８】他の実施形態に係る取っ手付き包装袋の説明図である。
【発明を実施するための形態】
【００１６】
以下、本発明の好適な一の実施の形態について、図１〜図７を参照して説明する。図１（ａ）は本実施形態における取っ手付き包装袋の使用状態を示し、図１（ｂ）は同取っ手付き包装袋の裏面側斜視図である。また、図５（ａ）は左側面図を、図５（ｂ）は右側面図を示す。
【００１７】
本実施形態に係る取っ手付き包装袋１０は、店舗などに設置された棒状の吊り下げ具２０等に吊り下げて陳列できるようにしたものであるが、例えば、ノベルティグッズを内部に収納することによって、その広告媒体としての価値を高めるためにも有効な包装袋である。
【００１８】
図示するように、取っ手付き包装袋１０は、略矩形形状の包装袋本体１２と、帯状の取っ手１４と、スナップボタン１６ａ，１６ｂを具備するベルト状の締結部１６と、この締結部１６に設けられ、本実施形態の特徴部分をなす環状の吊下部１８とから構成されている。
【００１９】
包装袋本体１２は、その上部に開口部１２ａが形成された袋体であり、例えば、シート状の商品やノベルティグッズ等の物品２４を内部に収納するのに好適である。この包装袋本体１２は、主に、表面１２ｂと裏面１２ｃとの２枚の矩形状の不織布によって構成されており、表面１２ｂと裏面１２ｃとが面するようにその周縁の一部を縫い合わせて形成されている。このように、主に、２枚の不織布により包装袋本体１２は形成されるため、取っ手付き包装袋１０は安価に製造することができる。
【００２０】
また、本実施形態における包装袋本体１２は、図１（ａ）に示すように、表面１２ｂや裏面１２ｃにより形成されており、その厚み方向が幅方向よりもかなり薄くなっている。ここでは、表面１２ｂや裏面１２ｃの厚み方向を矢印Ａで示し、表面１２ｂや裏面１２ｃの幅方向を矢印Ｂで示す。
【００２１】
この包装袋本体１２の表面１２ｂには、透明フィルムから構成された透過部１２ｄが形成されている。これによって、内部に収納される物品が視認可能となり、その物品が確認可能であるばかりか、物品以外に広告情報を視認可能とすることによって広告媒体として有効に利用可能である。
【００２２】
具体的な一例としては、図１に示すように、広告紙２２を内部のノベルティグッズなどの物品２４とともに収納することによって、当該物品のみならず、広告媒体としても視認し易く陳列でき、有効に利用可能である。
【００２３】
また、包装袋本体１２の上部には、ユーザが把持できるように、帯状に形成された取っ手１４が逆Ｕ字状に取り付けられている。すなわち、取っ手１４の一側端部が表面１２ｂの内側面の一端寄りに、他側端部が裏面１２ｃの内側面の他端寄りに、互いに左右対称位置となるように縫い付けられ、開口部１２ａを跨ぐように取り付けられている。
【００２４】
取っ手１４は、不織布で形成された１本の帯体からなり、その一端が包装袋本体１２の表面１２ｂの一側端部寄りに縫い付けられており、その他端が包装袋本体１２の裏面１２ｃの他側端部寄りに縫い付けられている。
【００２５】
このように、不織布で形成した１本の帯体により取っ手１４が形成されているため、取っ手付き包装袋１０を低コストで製造することができる。
【００２６】
また、この取っ手１４は、図示するように、半面だけねじれた状態で縫い付けられている。すなわち、取っ手１４は、包装袋本体１２の表面１２ｂの内側面に当接する面と裏面１２ｃの内側面に当接する面とが単純に同じ面ではなく、表面１２ｂの内側面に当接する面が一側面（例えば表面）であるのに対し、包装袋本体１２の裏面１２ｃの内側面に当接する面が他側面（例えば裏面）となっている。
【００２７】
これによって、図示するように、逆Ｕ字状に屈曲した取っ手１４の頂部については逆にねじれずに湾曲面を形成することになるため、把持しやすくなる。
【００２８】
しかし、この取っ手１４は、吊り下げ具２０に引っ掛けて陳列するには不適当である。この取っ手１４を吊り下げ具２０に吊り下げた場合、包装袋本体１２は下方に長すぎるため、吊り下げて陳列するには高さ方向の場所をとりすぎてしまい、効率的な陳列ができないからである。
【００２９】
また、包装袋本体１２の表面１２ｂの上部中央には締結部１６が設けられている。この締結部１６は、取っ手１４の両端部の間に位置するように、先端部に雌状の第１スナップボタン１６ａが取り付けられ、包装袋本体１２の開口部１２ａに対して垂直方向に延びるようにその基端が縫い付けられている。
【００３０】
また、図４に示すように、包装袋本体１２の裏面１２ｃの上部中央には、締結部１６の基端と対面する位置にオス状の第２スナップボタン１６ｂが取り付けられており、第１スナップボタン１６ａと嵌合可能となっている。このように、第１スナップボタン１６ａと第２スナップボタン１６ｂとが嵌合されることによって、包装袋本体１２の開口部１２ａは、表面１２ｂと裏面１２ｃとが締結部１６により締結されることとなる。
【００３１】
次に、締結部１６について説明する。締結部１６は、開口部１２ａを跨いで包装袋本体１２の表面１２ｂと裏面１２ｃとを締結するために短いベルト状に形成されたものである。締結部１６は、一枚の不織布で構成されており、その一端部が包装袋本体１２の表面１２ｂの上端中央に縫い付けられており、他端部には第１スナップボタン１６ａが取り付けられている。
【００３２】
この第１スナップボタン１６ａは、図４に示すように、この締結部１６を折り曲げることによって、上述したように包装袋本体１２の裏面１２ｃに取り付けられた第２スナップボタン１６ｂと嵌合可能である。これによって、包装袋本体１２の表面１２ｂと裏面１２ｃとを跨いで、それぞれを締結し、収容した物品２４が抜け落ちることを防止することができる。
【００３３】
また、この締結部１６により、例えば、図１（ａ）に示すように店舗内に陳列した場合などに、商品などの物品２４が抜き取られたりすることを防止できる。
【００３４】
しかし、この締結部１６は、吊り下げ具２０に引っ掛けて陳列するには不適当である。この締結部１６を吊り下げ具２０に吊り下げた場合、包装袋本体１２の表面１２ｂや裏面１２ｃは、吊り下げ具２０が延びる方向に面するのではなく延びる方向に対して垂直な方向に向いた状態で陳列されることとなるからである。
【００３５】
この状態では、包装袋本体１２の表面１２ｂの透過部１２ｄから包装袋本体１２の内部に収納された物品２４を効果的に視認させることが難しい。
【００３６】
また、取っ手付き包装袋１０を多数陳列するために、陳列棚などに重ねて載置すると、やはり、内部に収納された物品２４を効果的に視認させることは難しい。他方、包装袋本体１２の表面１２ｂの透過部１２ｄを見せるために、横並びに載置すると、スペースを無駄に費やすこととなり、コンパクトに陳列することができない。したがって、陳列するスペースを広く設けるか、陳列する取っ手付き包装袋１０の数を減じなければならなかった。
【００３７】
そこで、この締結部１６を折り曲げて第１スナップボタン１６ａを包装袋本体１２側の第２スナップボタン１６ｂに接合した状態において、その折り曲げられた頂部位置に吊下部１８を縫い付けている。この吊下部１８を設けることによって、上述した課題を解決している。
【００３８】
すなわち、吊下部１８は、図１（ａ）に示すように、取っ手付き包装袋１０を吊り下げ具２０に吊り下げるために設けられている。この吊下部１８は一本の細い不織布から構成されており、締結部１６に環状に縫い付けられている。
【００３９】
また、吊下部１８は、図４に示すように、締結部１６の底面に重なるように縫い付けられている。このように縫製されることによって、比較的大きな荷重がかかった場合であっても十分に耐えることができる。
【００４０】
また、この吊下部１８は、包装袋本体１２の表面１２ｂや裏面１２ｃに対して垂直方向に向かってリング状となっているため、吊り下げ具２０を挿通すると、この吊り下げ具２０が延びる方向に、包装袋本体１２の表面１２ｂや裏面１２ｃが正面を向いて陳列されることとなる。このため、陳列状態においては、吊下された包装袋本体１２の表面１２ｂの透過部１２ｄから包装袋本体１２の内部に収納された物品２４を効果的に視認させることができる。
【００４１】
具体的には、図１（ａ）に示すように、視認させたい人に対して向かって伸びている棒状の吊り下げ具２０に吊下部１８を通して吊下げると、その視認させたい人に対して、包装袋本体１２を正面から視認し易く陳列することが可能となるのである。
【００４２】
また、吊下部１８は、本実施形態のように締結部１６に縫着したが、環状に形成した吊下部１８であれば、締結部１６から脱落しないように挿通して取り付けてもよい。
【００４３】
このように、複数の取っ手付き包装袋１０を陳列させる場合、包装袋本体１２の表面１２ｂや裏面１２ｃを、奥行き方向に複数重ねて陳列することとなるため、スペースを無駄に費やすことはなくなり、よりコンパクトに陳列することができ、取っ手付き包装袋１０の陳列の省スペース化を図り、取っ手付き包装袋１０を陳列させる数を削減させることもない。
【００４４】
なお、本実施形態においては、表面１２ｂ、裏面１２ｃの２枚の不織布によって包装袋本体１２を形成し、表面１２ｂに透明フィルムからなる透過部１２ｄを形成したが、裏面１２ｃにも透過部１２ｄを形成してもよいし、裏面１２ｃにのみ透過部１２ｄを形成してもよい。
【００４５】
また、図８（ａ）に示すように、例えば、主たる素材を布、革などとしてもよいし、さらに、図８（ｂ）に示すように、表面１２ｂ又は裏面１２ｃに、広告紙２２を収納するポケット部１９を設けるなど、適宜デザインの変更などは自由である。
【００４６】
また、便宜上、不織布を一枚の不織布として表現したが、一体としてまとまっていれば、複数枚の生地をまとめたものであってもよい。
【００４７】
また、本実施形態においては、取っ手１４がねじれた状態で縫い付けられたが、これに限らず、例えば、締結部１６のように、ねじれない状態であってもよい。また、本実施形態においては、締結部１６にスナップボタン１６ａを設けたものとした、別の方法で締結可能であればこれに限らない。
【００４８】
また、本発明の実施形態に記載された効果は、本発明から生じる最も好適な効果を列挙したに過ぎず、本発明による効果は、本発明の実施形態に記載されたものに限定されるものではない。
【符号の説明】
【００４９】
１０  取っ手付き包装袋
１２  包装袋本体
１４  取っ手
１６  締結部
１８  吊下部
【図１】
2011063296.tif 000003
【図２】
2011063296.tif 000004
【図３】
2011063296.tif 000005
【図４】
2011063296.tif 000006
【図５】
2011063296.tif 000007
【図６】
2011063296.tif 000008
【図７】
2011063296.tif 000009
【図８】
2011063296.tif 000010